(57)【要約】      （修正有）【課題】十分な厚みと安定感を有する腕枕パッドであって、肘の部分でも曲げることのできるものを提供する。【解決手段】織物又は編物で構成した筒２と、この筒２の少なくとも乳児の頭部が接触する部分に埋め込まれた軟質素材からなるパッド４とを有する腕枕パッド１である。パッド４が複数の区画４１，４２，４３，４４を有していて、区画の境界において曲げることができる。【選択図】図２
2016211118.tif 000002
【特許請求の範囲】
【請求項１】
織物又は編物で構成した筒（２，２Ａ，２Ｂ）と、この筒（２）の少なくとも乳児の頭部が接触する部分に埋め込まれた軟質素材からなるパッド（４）とを有する腕枕パッド（１，１Ａ，１Ｂ）において、
前記パッド（４，４Ａ）が複数の区画（４１，４２，４３，４４；４１Ａ，４２Ａ，４３Ａ，４４Ａ）を有しており、
前記区画の境界において曲げることができることを特徴とする腕枕パッド（１，１Ａ，１Ｂ）。
【請求項２】
前記パッド（４）は前記筒（２）の上半分で、筒（２）の縁部（３１，３２）を除いた部分に設けられている請求項１記載の腕枕パッド。
【請求項３】
前記パッドが複数の区画が複数の分離した軟質素材からなる請求項１又は２記載の腕枕パッド。
【請求項４】
前記パッドが複数の区画が複数のスリットが入った単一の軟質素材からなる請求項１又は２記載の腕枕パッド。
【請求項５】
前記区画は４区画からなり、外側２個の区画の高さは内側２個の区画の高さよりも高いものである請求項１〜４のいずれかに記載の腕枕パッド。
【請求項６】
付属品として前記筒（２）の中に挿入可能な詰め物（５）を有する請求項１〜５のいずれかに記載の腕枕パッド。
【請求項７】
前記詰め物の縁部につまみ用の切欠き（５１）を設けた請求項６記載の腕枕パッド。
【請求項８】
前記切欠き（５１）の深さが5ｍｍ〜15ｍｍである請求項７記載の腕枕パッド。
【請求項９】
前記縁部（３１Ｂ，３２Ｂ）が外側に向かってラッパ状に開いている請求項２〜８のいずれかに記載の腕枕パッド。
【発明の詳細な説明】
【技術分野】
【０００１】
本発明は、授乳者が乳児を腕に抱きながら授乳するときに使用する腕枕パッドに関する。
【背景技術】
【０００２】
一般に、乳児は授乳されると多量の汗をかく。そのため、胸の前で腕枕をして授乳するときは、授乳者の腕と乳児の頭の間にタオルを挟みつつ行うことが多い。また、乳児が額や頬に汗をかいた場合に用いるタオルを別途用意することも多い。しかし、授乳中に授乳者の腕からタオルがずれて腕と頭の間から外れてしまう場合がある。また、前記タオルを別途用意するのは煩雑である。
【０００３】
この問題を解決するために、授乳時にずれない授乳用腕カバー又は腕枕パッドを腕に取り付ける発明や考案が提案されている（下記特許文献参照）。
【先行技術文献】
【特許文献】
【０００４】
【特許文献１】特開平１０―１４１１号
【特許文献２】特開２００２―２３５２２０
【特許文献３】米国特許公開第２００８―２５０５６７号
【特許文献４】米国特許公開第２００８―１４１４６２号
【発明の概要】
【発明が解決しようとする課題】
【０００５】
前記特許文献１と２は、タオルを筒状にしたものである。汗対策にはなるが、乳児の頭をしっかりと支えるのには十分ではない。
【０００６】
前記特許文献３及び４は、腕にはめる腕枕パッドであって十分な厚みを有する。乳児の頭を支えることができるが、腕枕パッドが曲げられないため、肘より先だけに取り付けられている。肘より後が枕として使用できないので、安定感に乏しい。
【０００７】
本発明は、これら従来技術の欠点を解消するために行われたもので、十分な厚みと安定感を有する腕枕パッドであって、肘の部分でも曲げることのできるものを提供することを目的とする。
【課題を解決するための手段】
【０００８】
本発明は、織物又は編物で構成した筒と、この筒の少なくとも乳児の頭部が接触する部分に埋め込まれた軟質素材からなるパッドとを有する腕枕パッドにおいて、前記パッドが複数の区画を有しており、前記区画の境界において曲げることができることを特徴とする（請求項１）。
【０００９】
好ましくは、前記パッドは前記筒の上半分で、筒の縁部を除いた部分に設けられている（請求項２）。
【００１０】
前記パッドは複数の区画が複数の分離した軟質素材からなるものでもよいし（請求項３）、複数のスリットが入った単一の軟質素材からなるものでもよい（請求項４）。
【００１１】
好ましくは、前記区画は４区画からなり、外側２個の区画の高さは内側２個の区画の高さよりも高いものである（請求項５）。
【００１２】
好ましくは、前記腕枕パッドは、付属品として前記筒の中に挿入可能な詰め物を有する（請求項６）。
【００１３】
前記詰め物の縁部にはつまみ用の切欠きを設けるのが好ましい（請求項７）。前記切欠の深さは5ｍｍ〜15ｍｍであることが好ましい。（請求項８）。
【００１４】
さらに好ましくは、前記縁部は外側に向かってラッパ状に開いていることである（請求項９）。
【発明の効果】
【００１５】
本発明によると、乳児の頭部が接触する部分に埋め込まれた軟質素材からなるパッドを有するので、乳児を安定的に支持することができる。さらに、前記パッドは複数の区画を有しており、前記区画の境界において曲げることができるので、授乳者の肘を跨いで取り付けることができる。
【００１６】
請求項６の発明によると、付属品として詰め物を使用するので、授乳者が腕から腕枕パッドを抜き取った後も枕として使用することができる。
【００１７】
以下、添付の図面に基づき、本発明の実施例を説明する。
【図面の簡単な説明】
【００１８】
【図１】本発明の１実施例に係る腕枕パッドを使用している状態を示す斜視図である。
【図２】同腕枕パッドの斜視図である。
【図３】同腕枕パッドの（ａ）平面が、（ｂ）正面図、（ｃ）側面図である。
【図４】図３の腕枕パッドの横断面図である。
【図５】実施例２に係る腕枕パッドの横断面図である。
【図６】実施例１及び２の腕枕パッドと共に使用する補助具の斜視図である。
【図７】実施例３に係る腕枕パッドの斜視図である。
【実施例１】
【００１９】
図１、図２に示すように、この腕枕パッド１は筒２を有しており、授乳時に、授乳者Ｐの手首から肘を超える部分までをこの筒２の中にはめ込んで使用する。
【００２０】
筒２の素材は、吸汗・速乾性の低刺激繊維の織物、編物が好ましく、現時点では株式会社クラレの「ソフィスタ」（登録商標）が最も好ましい素材と考えられている。
【００２１】
図２〜４に示すように、筒２の上半分には縁部分３１，３２を除いてパッド４が詰め込まれている。このパッド４により、乳児Ｂの頭部の重さを分散させて受け止めることができるので、授乳者Ｐの腕への局所的負担を軽減させることができる。
【００２２】
図４から明らかなように、パッド４は４区画（４１，４２，４３，４４）に分割されている。このように分割されていることにより、各区画の境界で曲げることができるので、腕枕パッド１は授乳者Ｐの肘の部分で容易に曲げることができる。
【００２３】
パッド４は、外側２個４１，４４の高さ（本例では１０ｍｍ）が内側２個４２，４３の高さ（本例では８ｍｍ）よりも高い。このように高さを変えることで、乳児Ｂの頭部を受け止める窪みを形成することができる。
【００２４】
その結果、乳児Ｂの頭部を安定的に支持することができ、授乳をスムーズに行うことができるようになる。
【００２５】
パッド４は、乳児の頭部をやさしく包み込むことのできる軟質素材が好ましく、例えばポリウレタン、フェノール、メラミン、アクリル、ポリエチレン、ポリプロピレン、ポリ塩化ビニル、ポリスチレン、ポリ酢酸エチル、アクロニトリルブタジエンスチレン共重合体（ＡＢＳ）、などの発泡樹脂を使用することができる。
【００２６】
授乳が済み、そのまま乳児Ｂが寝てしまったとき、授乳者Ｐは腕枕パッド１を腕から抜き取る。そのとき、腕枕パッド１をそのまま枕として使用できるようにするため、腕枕パッド１の筒の中に発泡樹脂からなる円柱状の詰め物５を挿入することができるようにしておくことが好ましい。そのような詰め物５の１例を図６に示す。抜き取りのとき、詰め物５を握る授乳者Ｐの指が当たって乳児Ｂが目を覚まさないようにするため、縁部に切欠き５１を設けておくことができる。切欠５１は、指の厚みを感じさせない深さ、例えば5ｍｍ〜15ｍｍ、を有することが好ましい。
【実施例２】
【００２７】
実施例１では、パッド４は４つの区画に完全に分割されていた。図５に示すように、実施例２の腕枕パッド１Ａでは、単一のパッド４Ａを使用するが、３カ所で縦方向のスリット４５，４６，４７を有する。スリットの部分が境界となり、ここで曲げられるので、実施例1と同様にパッドは４区画４１Ａ，４２Ａ，４３Ａ，４４Ａを有することになる。その他の点は実施例１と同様である。
【実施例３】
【００２８】
図７は実施例３の腕枕パッド１Ｂを示す。腕枕パッド１Ｂの縁部３１Ｂ，３２Ｂがラッパ状に開き、腕を通しやすくしている。その他の点は実施例１と同様である。
【符号の説明】
【００２９】
１，１Ａ，１Ｂ       腕枕パッド
２     筒
３１，３２    縁部分
３１Ｂ，３２Ｂ       縁部分
４，４Ａ      パッド
４１Ａ，４２Ａ，４３Ａ，４４Ａ     区画
４５，４６，４７     スリット
５     詰め物
Ｐ     授乳者
【図１】
2016211118.tif 000003
【図２】
2016211118.tif 000004
【図３】
2016211118.tif 000005
【図４】
2016211118.tif 000006
【図５】
2016211118.tif 000007
【図６】
2016211118.tif 000008
【図７】
2016211118.tif 000009